(57)【要約】【課題】本体ケーシング内の配備された熱交換器を効率よく洗浄することのできる空気調和装置の室内機が求められている。【解決手段】空気調和装置の室内機１は、本体ケーシング１Ａ内に形成された通風路１９と、通風路１９内に配備された熱交換器５と、通風路１９内における熱交換器５の下方に配備されてドレン水を収受するドレンパン１１とを有して成り、通風路１９における熱交換器５の通風方向上流側Ａおよび通風方向下流側Ｂ、もしくは、通風方向上流側Ａまたは通風方向下流側Ｂで、ドレンパン１１の上方位置に、洗浄時に熱交換器５を通過した洗浄液を受け止めてドレンパン１１に案内する止水パネル８と、止水パネル８を着脱可能に保持する保持部材１３とを備えている。【選択図】図４
2012242005.tif 000002
【特許請求の範囲】
【請求項１】
本体ケーシング内に形成された通風路と、前記通風路内に配備されて前記通風路を通風可能に仕切る熱交換器と、前記通風路内における前記熱交換器の下方に配備されて前記熱交換器から滴下したドレン水を収受するドレンパンとを有して成り、前記通風路における前記熱交換器の通風方向上流側および通風方向下流側、もしくは、通風方向上流側または通風方向下流側で、前記ドレンパンの上方位置に、前記熱交換器の洗浄時に前記熱交換器を通過した洗浄液を受け止めて前記ドレンパンに案内する止水パネルと、前記止水パネルを着脱可能に保持する保持部材とを備えていることを特徴とする空気調和装置の室内機。
【請求項２】
保持部材上方の本体ケーシングの上面で、通風路における熱交換器の通風方向上流側および通風方向下流側、もしくは、通風方向上流側または通風方向下流側に、止水パネルを装入または抜出しするためのパネル出入口が形成されていることを特徴とする請求項１に記載の空気調和装置の室内機。
【請求項３】
パネル出入口を着脱可能、且つ、密封状に蓋止する蓋部材と、止水パネルを通常運転時に本体ケーシングの内部もしくは外部に保管するパネル保管構造とを備えていることを特徴とする請求項２に記載の空気調和装置の室内機。
【請求項４】
本体ケーシングに、室内の天井に吊り下げるための吊下げ部材が設けられていることを特徴とする請求項１から請求項３までのいずれか一項に記載の空気調和装置の室内機。
【発明の詳細な説明】
【技術分野】
【０００１】
この発明は、冷媒回路の熱交換器を備えていて洗浄液の吹きつけにより熱交換器外面の洗浄を行なうようにした空気調和装置の室内機に関するものである。
【背景技術】
【０００２】
従来の、天井吊形の空気調和装置の室内機は、主に熱交換器、送風手段、熱交換器下方のドレンパンを備え、送風手段の駆動により室内機内に空気が導入され、熱交換器の冷媒との熱交換により空気調和されて送風手段より室内へ吹出される。この場合、室内機に導入された空気に含まれている塵や汚れが熱交換器に付着し、時間の経過と共に徐々に熱交換器が汚れ続けると、熱交換器の劣化や腐食、更には目詰まりによる性能低下につながるおそれがある。そのため、定期的に熱交換器を洗浄する必要がある。
【０００３】
そこで、室内に設置される室内機内に配置されている熱交換器の洗浄に関しては、熱交換器を挟むようにノズル部および受液部を配設し、ノズル部には、液噴射ノズルと、その両側のエア吹出ノズルとを配置させ、噴射される洗浄液の両側をエアカーテンで挟んで洗浄液の飛沫が外部へ飛散することを防止するようにしたものが知られている。以上により、空調機下側および空調機ケーシング内部の養生を不要とするようになっている（例えば、特許文献１参照）。
一方で、室内機内で熱交換器とファンとの間にファン仕切板を脱着可能に設け、熱交換器の洗浄を行う場合に、グリルカバーを開いて吸込み口を開口し、吸込み口からファン仕切板をファンと共に取出し、吹出し口をビニールシート等で養生して塞ぎ、吸込み口から洗浄ノズルを進入させて洗浄液を熱交換器に噴射するようにしたものが知られている。以上により、熱交換器の洗浄作業を容易にし、洗浄作業のコストダウンを図るようになっている（例えば、特許文献２参照）。
他方で、熱交換器は洗浄できるフィン形状を有しているものの、室内機内の断熱材は洗浄に適しておらず、また、送風手段を構成するファンやモータ等には熱交換器を洗浄する場合に洗浄水がかからないように、熱交換器を独立させるようにビニールシート等で養生するものも知られている（例えば、非特許文献１参照）。
【先行技術文献】
【特許文献】
【０００４】
【特許文献１】特開平６−１３７７８３号公報
【特許文献２】特開２００２−１４７７８３号公報
【非特許文献】
【０００５】
【非特許文献１】ダイキン工業株式会社  ２００７設備用エアコンサービスガイド、ｐ２９７．
【発明の概要】
【発明が解決しようとする課題】
【０００６】
ところで、従来の天井吊形の空気調和装置における室内機の熱交換器を洗浄する場合、室内機内の断熱材に洗浄水が飛散しないように、更には、送風手段であるファン・モータに洗浄水が飛散しないように、洗浄対象である熱交換器を独立させる形で、熱交換器下方のドレンパンから熱交換器全体を覆うようにビニールシート等で養生する必要がある。
【０００７】
また、空気調和装置の天井から吊下げられる天井吊形の室内機における熱交換器の洗浄において、熱交換器の１次側（通風方向上流側）を洗浄する場合は熱交換器の２次側（通風方向下流側）で熱交換器全体を覆うようにビニールシートで養生する必要があり、熱交換器の２次側を洗浄する場合は熱交換器の１次側で熱交換器全体を覆うようにビニールシート等養生する必要があった。
【０００８】
そして、天井吊形の空気調和装置の室内機は、高所（高さ約３ｍ以上）に取付けられるため、熱交換器洗浄に先立って熱交換器全体を覆う養生作業に長時間を要し洗浄作業全体としての作業時間の短縮化を図ることができないという不具合がある。更には、熱交換器を洗浄するために熱交換器全体を覆う必要があるため、養生に大面積のビニールシート等が必要になるという不具合もあった。
【０００９】
この発明は、上記のような課題を解決するためになされたもので、室内機の本体ケーシング内に配備された熱交換器などに対し養生を必要とすることなく効率よく洗浄ができる空気調和装置の室内機を得ることを目的とする。
【課題を解決するための手段】
【００１０】
この発明に係る空気調和装置の室内機は、本体ケーシング内に形成された通風路と、通風路内に配備されて通風路を通風自在に仕切る熱交換器と、通風路内における熱交換器の下方に配備されて熱交換器から滴下したドレン水を収受するドレンパンとを有して成り、通風路における熱交換器の通風方向上流側および通風方向下流側、もしくは、通風方向上流側または通風方向下流側で、ドレンパンの上方位置に、熱交換器の洗浄時に熱交換器を通過した洗浄液を受け止めてドレンパンに案内する止水パネルと、止水パネルを着脱可能に保持する保持部材とを備えていることを特徴とするものである。
【発明の効果】
【００１１】
この発明に係る空気調和装置の室内機は、通風路における熱交換器の通風方向上流側および通風方向下流側、もしくは、通風方向上流側または通風方向下流側で、ドレンパンの上方位置に、熱交換器の洗浄時に熱交換器を通過した洗浄液を受け止めてドレンパンに案内する止水パネルと、止水パネルを着脱可能に保持する保持部材とを備えているので、止水パネルを保持部材に取付けることで、室内機内部の断熱材および送風手段であるファンやモータへ洗浄水を飛散させることなく、熱交換器の洗浄が可能となる。これにより、従来必要としていた、洗浄対象である熱交換器を独立させる形で熱交換器下方のドレンパンから熱交換器全体を覆うようにビニールシート等で養生する必要がなくなるという効果が得られる。
【００１２】
また、前記したようなビニールシート等での養生の必要がないため、洗浄作業時間の短縮化が可能であり、養生に必要であった大面積のビニールシート等が不要になるという効果も得られる。
【００１３】
それに付随して、空気調和装置の停止時間を短縮することが可能であり、室温上昇が許されない場所、例えば機械・電気室、食品工場等における温度上昇を抑えることにより、室内機が設置されている周囲環境に与える影響を最低限に抑える効果が得られる。
【００１４】
更には、熱交換器の１次側および２次側を洗浄できることで、熱交換器外面の奥深くまで入り込んだ塵や汚れ、ゴミ等などを効率的かつ全般的に排除できるという効果も得られる。
【図面の簡単な説明】
【００１５】
【図１】この発明の実施の形態１における空気調和装置の室内機を示す斜視図である。
【図２】この発明の実施の形態１における空気調和装置の室内機を示す図であって、（ａ）は平面図、（ｂ）は側面図、（ｃ）は正面図である。
【図３】この発明の実施の形態１における空気調和装置の室内機を示す内部構造図である。
【図４】この発明の実施の形態１における空気調和装置の室内機を示す図であって、（ａ）は平面内部構造図、（ｂ）は側面内部構造図である。
【図５】この発明の実施の形態１における空気調和装置の室内機の熱交換器を空気吸込み側から洗浄する態様を示す状態説明図である。
【図６】この発明の実施の形態１における空気調和装置の室内機の熱交換器を空気吹出し側から洗浄する態様を示す状態説明図である。
【発明を実施するための形態】
【００１６】
実施の形態１．
図１はこの発明の実施の形態１における空気調和装置の室内機を示す斜視図、図２はこの発明の実施の形態１における空気調和装置の室内機を示す図であって、（ａ）は平面図、（ｂ）は側面図、（ｃ）は正面図、図３はこの発明の実施の形態１における空気調和装置の室内機を示す内部構造図である。
各図において、この実施形態に係る空気調和装置の室内機１は、馬力換算で例えば５〜２０ＨＰ程度の能力を備えている。この空気調和装置の室内機１は天井から吊下げられる天井吊形の室内機であって、例えば幅１．１〜１．７ｍ程度、奥行き０．９ｍ程度、高さ０．６ｍ程度のサイズである。そして、室内機１は、空気吸込み口１７と空気吹出し口１８が形成された箱状の本体ケーシング１Ａを有している。本体ケーシング１Ａ内には、空気吸込み口１７と空気吹出し口１８とを連通する通風路１９が形成されている。
【００１７】
本体ケーシング１Ａの通風路１９内には、この通風路１９を通風可能に仕切る熱交換器５が配備されている。熱交換器５を構成する冷媒管内には、図示せぬ室外機からの冷媒が流通する。通風路１９内における熱交換器５の下方、すなわち本体ケーシング１Ａの底板上には、熱交換器５表面で生じて熱交換器５から滴下したドレン水を収受するドレンパン１１が配備されている。ドレンパン１１には、ドレン継手１５（ネジ込み形鋼管製管継手１／２サイズ）が設けられており、このドレン継手１５に接続されたドレン配管（Ｒ１／２サイズ）からドレン水を機外へ排水する構造となっている。通風路１９における熱交換器５の空気吹出し側Ｂ（通風方向下流側）には、シロッコファン３と、このシロッコファン３を駆動するモータ４とから成る送風機２が、例えば２台並列に配備されている。送風機２，２の下方となる本体ケーシング１Ａの底面には下面開口２３が形成されている。この下面開口２３は、枢支部２２の水平軸心回りに回動するサービスパネル１２により開閉自在に封止されるようになっている。
【００１８】
保持部材１３上方の本体ケーシング１Ａの上面であって、通風路１９における熱交換器５よりも空気吸込み側Ａ（通風方向上流側）には、止水パネル８を装入したり抜出したりするための、パネル出入口６が形成されている。また、熱交換器５よりも空気吹出し側Ｂ（通風方向下流側）における本体ケーシング１Ａの上面にも、止水パネル８を装入または抜出しするためのパネル出入口７が形成されている。パネル出入口６は熱交換器５の２次側（通風方向下流側）からの洗浄に使用され、パネル出入口７は熱交換器５の１次側（通風方向上流側）からの洗浄に使用されるようになっている。また、パネル出入口６およびパネル出入口７には、通常運転時の風もれ・結露などが発生しないように、蓋部材９および蓋部材１０がネジ止めなどにより着脱可能に取付けられる。これらの蓋部材９および蓋部材１０はパネル出入口６およびパネル出入口７を密封状に蓋止しており、通常運転時の妨げにならない構造にされている。
【００１９】
図４に示すように、パネル出入口６およびパネル出入口７の下方位置における本体ケーシング１Ａ内の左右側壁には、止水パネル８を着脱可能に保持する保持部材１３が左右２対で配備されている。これらの保持部材１３，１３，１３，１３の下端部はドレンパン１１内まで延在していて、パネル出入口６またはパネル出入口７から装入された止水パネル８の下端部をドレンパン１１内に届けるようになっている。保持部材１３は空調時に生じる結露水や洗浄時に用いられる洗浄水Ｓによる腐食を防ぐ材質（例えば、塗装鋼板）で構成されている。また、保持部材１３には、水を吸収しない材質（例えば、ポリエチレン発泡体製などの断熱材）のクッション材１６が取り付けられている。パネル出入口６下方のクッション材１６は保持部材１３内で空気吸込み側Ａ寄りに配置され、パネル出入口７下方のクッション材１６は保持部材１３内で空気吹出し側Ｂ寄りに配置されている。これらのクッション材１６，１６は、止水パネル８を取り付けた際の保持部材１３との水密性を確保する構造を有している。
【００２０】
前記の止水パネル８は、熱交換器５の洗浄時に熱交換器５を通過した洗浄液Ｓを受け止めてドレンパン１１に案内するためのものであるが、止水パネル８は金属製のパネルに限られるものではなく、例えば樹脂製のパネルを使用してもよい。更に、天井吊形の室内機の設置環境により、天井と室内機１との間に適当なスペースがない場合には、樹脂性のフレキシブルパネル（シャッタータイプ）を使用するとよい。止水パネル８は厚さ１．０〜２．０ｍｍ程度のものを使用する。
【００２１】
そして、本体ケーシング１Ａの外側面の四隅には、吊下げ部材２１，２１，２１，２１が固設されている。これらの吊下げ部材２１，２１，２１，２１に対し吊り下げ棒やチェーンなどの一端が掛止され、吊り下げ棒やチェーンなどの他端が室内の天井に固設されて、室内機１が天井に吊り下げられるのである。
更に、付随構造として、止水パネル８を通常運転時に本体ケーシング１Ａの内部もしくは外部に取付け・保管する構造を有している。すなわち、本体ケーシング１Ａの上面には、止水パネル８を通常運転時に本体ケーシング１Ａの外部に保管するパネル保管構造２０が設けられている。このパネル保管構造２０は、正面から見て天地逆Ｌの字状の部材１対を左右離間して本体ケーシング１Ａの上面に設置したものである。
【００２２】
次に動作について説明する。以上のように構成された空気調和装置の室内機１において、送風機２のモータ４が回転すると、シロッコファン３の駆動により、空気吸込み口１７からの空気が本体ケーシング１Ａの通風路１９内に導入され、熱交換器５の冷媒と熱交換されて空気調和される。空気調和された空気は空気吹出し口１８から室内に吹出されるようになっている。
続いて、この室内機１の熱交換器洗浄に伴う養生不要の洗浄方法を以下に説明する。まず、熱交換器５の１次側を洗浄するに際しては、図１および図２に示すように、まず、パネル出入口７を塞ぐようにネジ止め固定されている蓋部材１０を取外し、パネル出入口７を開口する。次に、パネル出入口７から止水パネル８を保持部材１３に差込んで装入し保持部材１３に保持させる。これにより、本体ケーシング１Ａの左右内側面および底面と止水パネル８との間が水封される。
【００２３】
以上の準備作業が終わると、図５に示すように、空気吸込み側Ａの空気吸込み口１７から洗浄ノズル１４を進入させ、洗浄ノズル１４から熱交換器５に向けて高圧の洗浄液Ｓを噴射して、熱交換器５の１次側の面を洗浄する。この場合、熱交換器５のアルミフィン倒れを回避するために、高圧洗浄機を用いて水圧３ＭＰａ以下の洗浄液Ｓを噴射する。洗浄後に熱交換器５を通過した洗浄液Ｓは、空気吹出し側Ｂにある止水パネル８に当って止水され、更に止水パネル８の表面や熱交換器５の表面を伝って流下し、熱交換器５下方のドレンパン１１に収受される。ドレンパン１１に収受されたドレン水はドレン継手１５を通じて機外に排出される。
このように、止水パネル８を取付けることで、従来の洗浄時に必要であったビニールシート等による養生を不要とし、熱交換器５を、その２次側および送風機２から水密的に絶縁することができ、熱交換器５を１次側から洗浄することが可能となる。
【００２４】
続いて、熱交換器５の２次側を洗浄する場合は、図１および図２に示すように、パネル出入口６を塞いでネジ止めされている蓋部材９を取外し、パネル出入口６を開口する。次に、パネル出入口６から止水パネル８を保持部材１３に差込んで装入し保持部材１３に保持させる。これにより、本体ケーシング１Ａの左右内側面および底面と止水パネル８との間が水封される。更に、本体ケーシング１Ａの下面開口２３を封止しているサービスパネル１２の固定ネジ（図示省略）を取外し、サービスパネル１２を枢支部２２の水平軸支回りに回動させて本体ケーシング１Ａの下面開口２３を開く。
【００２５】
以上の準備作業が終わると、図６に示すように、本体ケーシング１Ａの下面開口２３から洗浄ノズル２０を挿入し、洗浄ノズル１４から熱交換器５に向けて高圧の洗浄液Ｓを高圧洗浄機（図示省略）により水圧３ＭＰａ以下で噴射して、熱交換器５を２次側から洗浄する。洗浄後に熱交換器５を通過した洗浄液Ｓは１次側の止水パネル８に当って止水され、更にその止水パネル８の表面や熱交換器５の表面を伝って流下しドレンパン１１に収受される。ドレンパン１１に収受されたドレン水はドレン配管１５を通じて機外に排出される。
このように、止水パネル８を配備したことで、熱交換器５をその吸込み側Ａに対し水密的に絶縁することができ、熱交換器５を２次側から洗浄することが可能となる。その結果、従来の洗浄時に必要であったビニールシート等による養生を不要なものとすることができる。
【００２６】
以上のように、この空気調和装置の室内機１は、止水パネル８を備えているので、室内機１内部の断熱材および送風機２へ洗浄水Ｓを飛散させることなく、熱交換器５の洗浄が可能となる。これにより、従来必要としていた、洗浄対象である熱交換器を独立させる形で熱交換器下方のドレンパンから熱交換器全体を覆うようにビニールシート等で養生する必要がなくなる。その結果、洗浄作業時間の短縮化が可能であり、養生に必要であった大面積のビニールシート等も不要になる。また、空気調和装置の停止時間を短縮することが可能であり、室内機１が設置されている周囲環境に与える影響を最低限に抑えることができる。更には、熱交換器５の１次側および２次側を洗浄できることで、熱交換器５外面の奥深くまで入り込んだ塵や汚れ、ゴミ等などを効率的かつ全般的に排除できる。
【００２７】
また、本体ケーシング１Ａの上面にパネル出入口６，７が形成されているので、熱交換器洗浄に際して、止水パネル８を上からパネル出入口６，７に落とし込むことができる。これにより、保持部材１３への装入または抜出しを極めて簡単に行なうことができる。パネル出入口６，７の双方およびそれらの下方の保持部材１３を有していることから、熱交換器５を空気吸込み側Ａと空気吹出し側Ｂのいずれかからも洗浄することができる。また、蓋部材９，１０を備えているので、空気調和装置の通常運転時には、蓋部材９，１０がパネル出入口６，７を密封状に蓋止して運転を妨げず、熱交換器洗浄に際しては、本体ケーシング１Ａ取外してパネル出入口６，７を即座に使用することができる。
【００２８】
そして、本体ケーシング１Ａの上面にパネル保管構造２０，２０が設けられているので、空気調和装置の通常運転時に、本体ケーシング１Ａ外部のパネル保管構造２０，２０間に止水パネル８を挟持させて保管することができる。これにより、通常運転時は支障なく運転を行なうとともに別の保管スペースを確保する必要がなく、熱交換器洗浄に際しては止水パネル８を探す手間なく、直ちに使用することができる。また、本体ケーシング１Ａの外側面に設けられた吊下げ部材２１，２１，２１，２１により、この室内機１は室内の天井に吊り下げる天井吊形として用いられるので、高い位置で洗浄作業を行なわなければならないという観点から、周囲への洗浄液の飛散や滴下による不具合を解消することができる。
【００２９】
尚、上記の実施形態では、保持部材１３上方の本体ケーシング１Ａの上面で、通風路１９における熱交換器５の通風方向上流側および通風方向下流側の双方に、パネル出入口６，７を形成したが、本発明はそれに限定されるものでない。例えば、保持部材１３上方の本体ケーシング１Ａの上面で、熱交換器５の通風方向上流側または通風方向下流側のいずれか一方だけに、パネル出入口を形成したものも、本発明に含まれる。そのような場合でも、ドレンパン１１から熱交換器５全体にかけてビニールシート等で覆うような養生をするといったことが必要でなくなる。
また、上記では、通常運転時に止水パネル８を本体ケーシング１Ａの外部に保管するパネル保管構造２０を例示したが、本発明はそれに限らず、止水パネルを本体ケーシングの内部に保管するパネル保管構造（図示省略）であっても構わない。
【符号の説明】
【００３０】
１  室内機
１Ａ  本体ケーシング
２  送風機
３  シロッコファン
４  モータ
５  熱交換器
６  パネル出入口
７  パネル出入口
８  止水パネル
９  蓋部材
１０  蓋部材
１１  ドレンパン
１２  サービスパネル
１３  保持部材
１４  洗浄ノズル
１５  ドレン継手
１６  クッション材
１７  空気吸込み口
１８  空気吹出し口
１９  通風路
２０  パネル保管構造
２１  吊下げ部材
２２  枢支部
２３  下面開口
Ａ  空気吸込み側
Ｂ  空気吹出し側
【図１】
2012242005.tif 000003
【図２】
2012242005.tif 000004
【図３】
2012242005.tif 000005
【図４】
2012242005.tif 000006
【図５】
2012242005.tif 000007
【図６】
2012242005.tif 000008